(57)【要約】【課題】  記録媒体の両面に画像を記録する場合に、画像の記録品位を保ちつつ、極力インクが記録媒体から擦れて落ちないようにして、記録媒体や記録装置内部の汚染を抑えることができる記録装置、記録方法、およびプログラムを提供すること。【解決手段】  記録媒体の両面に画像を記録するための両面記録モードを実行する場合に、記録媒体の両面の内、先に記録される面に対してブラックの顔料インクを用いて記録されるべき画像部分に関しては、そのブラックの顔料インクの使用を制限し、かつそれに伴う記録濃度の低下をブラックの染料インクによって補うように、ブラックの顔料インクと染料インクとの使用比率を設定する。【選択図】  図６
2005047238.tif 000002
【特許請求の範囲】
【請求項１】
少なくとも１色について同色の顔料インクと染料インクとを用いて記録媒体に画像を記録可能な記録装置であって、
前記記録媒体の片面に対して記録を行う片面記録モードと、前記記録媒体の両面に対して記録を行う両面記録モードとを実行可能な記録制御手段を備え、
前記記録制御手段は、前記両面記録モードを実行する場合に、前記記録媒体の両面の内、少なくとも先に記録される面に対して前記同色の顔料インクを用いて記録されるべき画像部分に関しては、前記同色の顔料インクの使用を制限し、かつそれに伴う記録濃度の低下を前記同色の染料インクによって補うように、前記同色の顔料インクと染料インクとの使用比率を設定する
ことを特徴とする記録装置。
【請求項２】
前記記録制御手段は、前記両面記録モードを実行する場合に、前記記録媒体の両面の内、少なくとも先に記録される面の特定部分に対して前記同色の顔料インクを用いて記録されるべき画像部分に関しては、前記同色の顔料インクの使用を制限し、かつそれに伴う記録濃度の低下を前記同色の染料インクによって補うように、前記同色の顔料インクと染料インクとの使用比率を設定する
ことを特徴とする請求項１に記載の記録装置。
【請求項３】
前記記録制御手段が前記両面記録モードを実行するときに、前記記録媒体の表裏面を反転させる反転手段を備え、
前記特定部分は、画像が記録された後に前記反転手段の構成部品と接触する部分である
ことを特徴とする請求項２に記載の記録装置。
【請求項４】
前記記録制御手段は、前記同色の顔料インクを用いて記録されるべき画像部分に関して、前記同色の顔料インクと染料インクとの使用比率を段階的に異ならせることを特徴とする請求項１から３のいずれかに記載の記録装置。
【請求項５】
前記記録制御手段は、前記同色の顔料インクを用いて記録されるべき画像部分に関して、前記同色の顔料インクと染料インクとの使用比率を前記記録媒体の種類に応じて設定することを特徴とする請求項１から４のいずれかに記載の記録装置。
【請求項６】
前記同色の顔料インクと染料インクは、ブラックの顔料インクと染料インクであることを特徴とする請求項１から５のいずれかに記載の記録装置。
【請求項７】
画像の記録に用いるインクとして、シアン、マゼンタ、およびイエローの染料インクを含むことを特徴とする請求項１から６のいずれかに記載の記録装置。
【請求項８】
画像の記録に用いるインクとして、前記同色の顔料インク以外の他色の染料インクを少なくとも１つ含み、
前記記録制御手段は、前記同色の顔料インクを用いて記録されるべき画像部分に関して、前記同色の顔料インクと染料インクとの使用比率と共に、前記他色の染料インクの使用比率をも設定する
ことを特徴とする請求項１から７のいずれかに記載の記録装置。
【請求項９】
所定色について同色の顔料インクと染料インクとを用いて記録媒体に画像を記録可能な記録方法であって、
前記記録媒体の片面に対して記録を行う片面記録モードと、前記記録媒体の両面に対して記録を行う両面記録モードの内、いずれかの記録モードを選択する選択工程と、
前記選択工程において、前記両面記録モードが選択された場合、前記片面記録モードに比べ、前記所定色の顔料インクの使用量を減らし、かつそれに伴う記録濃度の低下を前記所定色の染料インクによって補うように前記染料インクの使用量を増やして記録を行う記録工程と、
を含むことを特徴とする記録方法。
【請求項１０】
前記選択工程において前記片面記録モードが選択された場合、前記記録工程では予め定められた前記所定色の顔料インクの使用量で記録を行うことを特徴とする請求項９に記載の記録方法。
【請求項１１】
少なくとも１色について同色の顔料インクと染料インクとを用いて記録媒体に画像を記録可能な記録方法であって、
前記記録媒体の片面に対して記録を行う片面記録モードと、前記記録媒体の両面に対して記録を行う両面記録モードの内、いずれかの記録モードを選択する選択工程と、
前記選択工程において、前記両面記録モードが選択された場合に、前記記録媒体の両面の内、少なくとも先に記録される面に対して前記同色の顔料インクを用いて記録されるべき画像部分に関しては、前記同色の顔料インクの使用を制限し、かつそれに伴う記録濃度の低下を前記同色の染料インクによって補うように、前記同色の顔料インクと染料インクとの使用比率を設定する設定工程と、
を含むことを特徴とする記録方法。
【請求項１２】
少なくとも１色について同色の顔料インクと染料インクとを用いて記録媒体に画像を記録可能な記録装置へ供給するための画像データを作成するプログラムであって、
前記記録媒体の片面に対して記録を行う片面記録モードと、前記記録媒体の両面に対して記録を行う両面記録モードの内、選択された記録モードに応じた画像データを作成する作成ステップを実行する作成ステップを有し、
前記作成ステップは、
前記両面記録モードが選択された場合に、前記記録媒体の両面の内、少なくとも先に記録される面に対して前記同色の顔料インクを用いて記録されるべき画像部分に関しては、前記同色の顔料インクの使用を制限し、かつそれに伴う記録濃度の低下を前記同色の染料インクによって補うように、前記同色の顔料インクと染料インクとの使用比率を設定する設定ステップと、
前記設定ステップによって設定された使用比率に基づいて画像データを作成する作成ステップと、
を含むことを特徴とする、コンピュータによって使用可能なプログラム。
【発明の詳細な説明】
【技術分野】
【０００１】
本発明は、記録媒体の両面に対して記録を行う両面記録モードを少なくとも含む記録モードによって、少なくとも１色について同色の顔料インクと染料インクとを用いて記録媒体に画像を記録可能な記録装置、記録方法、およびプログラムに関するものである。
【０００２】
本発明は、記録媒体として、紙や布、革、不織布等、さらには金属等の種々の被記録材を用いる機器すべてに適用可能である。具体的な適用機器としては、プリンタ、複写機、ファクシミリ等の事務機器や工業用生産機器等を挙げることができる。
【背景技術】
【０００３】
インクジェット記録方式は、高電圧印加による静電吸引方式、圧電素子を用いてインク（着色インク）に機械的振動または変位を与える方式、インクを過熱した際にインクが発泡する圧力を利用する方式等、種々のインク吐出方法により、インクの小滴を飛翔させて被記録材に記録を行うものである。この記録方式は、記録時の騒音の発生が少なく、またインクの吐出口を高密度に集積した記録ヘッドを使用することにより、高解像度かつ高速記録が可能であるという利点を有している。このようなインクジェット記録方式を採用した記録装置は、昨今、一般家庭にも広く普及し、家庭でのプリントボリュームも増加傾向にある。これは、記録装置が高性能になって銀塩写真と同等以上の美しさの写真を手軽に記録できるようになったこと、パーソナルコンピュータが普及したこと、さらにはインターネット環境が改善されたことに伴い、年賀状印刷を家庭用記録装置（プリンタ）で行ったり、Ｗｅｂページを閲覧し、プリントアウトしたりするユーザーが増えたからである。そのため、ユーザーの消費に対する記録コストの割合が高まってきており、記録コストを下げたいという要望が高まっている。そこで、被記録材の両面に記録して、被記録材のコストを１／２に低減できる両面記録が可能な記録装置の需要が徐々に高まっている。また、一般のユーザーの代表的な使用例として挙げられる葉書印刷の際にも、両面記録は有効に使用される。
【０００４】
現在のところ、表面処理されたコート紙等の専用用紙に対して、写真画質の画像記録を実現するためには染料系の成分を主体とするインク（以後、「染料インク」という）を使用する方が有利とされている。染料インクは、各種の水溶性染料を、水もしくは水と有機溶剤との混合液に溶解させることによって生成できる。しかし、染料インクの染料は、普通紙に対しては記録品位が劣る傾向にあり、ユーザーが日常に使用するような簡易な文書やＷｅｂページを普通紙に記録する場合には向いていない。その理由は、染料インクの染料が普通紙の繊維の奥に浸透しやすいためのである。一方、安価な普通紙に対しての記録品位の向上を求める声も高まっている。普通紙に対しての記録品位がよいインクは、顔料系の成分を主体とするインク（以後、「顔料インク」という）である。顔料インクは、顔料を高分子分散剤に分散させた顔料分散液を、水溶性溶剤に溶解させることによって生成できる。顔料インクが普通紙に対しての記録品位において有利な理由は、発色材の粒子が染料に比べて大きくて普通紙の繊維の奥に浸透しにくく、その粒子が普通紙の表層に留まりやすいからである。
【０００５】
現在では、写真画質の画像記録の実現と普通紙に対する記録品位の向上とを両立するために、染料インクと顔料インクとを併用するインクジェット記録装置が販売されている。このようなインクジェット記録装置の多くは、ブラックインクとして顔料インクを使用し、カラーインク（インク濃度の違うものも含めてシアン、マゼンタ、およびイエローインク）として染料インクを使用している。
【０００６】
前述したように、普通紙に対しての記録品位が良いインクは顔料インクであり、その顔料インクは、発色材の粒子が染料に比べて大きくて被記録材の繊維の奥に浸透しにくく、その粒子が被記録材の表層に留まりやすい。そのため、顔料インクを用いて画像を記録した場合には、光学的反射濃度が高い画像を記録することができ、また記録画像の周囲への浸透も少ないために画像の境界がくっきりと明瞭に記録される。その反面、顔料インクは、染料インクに比べて大きな発色材が被記録材の表層近くで定着するため、被記録材の表層近くに顔料分子が存在する確率が増えて、耐擦過性が悪化することになる。このように、顔料インクは耐擦過性が劣ることにより、軽微な摩擦でも被記録材上から擦り落とされやすくなる。
【０００７】
このような顔料インクにおいて劣る耐擦過性は、葉書などを含む種々の被記録材に対して両面記録を行う場合に特に問題となる。なぜなら、両面記録を行うためには、記録装置の内部にて被記録材の片面に画像を記録した後に、その被記録材の表裏を反転させ、それから、その反対側の面に画像を記録するために、もう一度記録装置内部に被記録材を通さなければならないからである。このような両面記録の際、擦過性において劣る顔料インクによって記録された部分は、記録装置内部に構成される被記録材用の搬送路等の機械的な構造部分を通ったときに、記録装置内部の部品に転写されてしまうおそれがある。その記録装置内部の部品に転写されたインクは、次に記録する被記録材に付着して汚してしまうおそれがある。また単純に、画像が記録された被記録材同士が擦れ合うことによって、顔料が擦り落とされて被記録材を汚してしまうおそれもある。
【０００８】
従来の記録装置において、このような問題を回避するためには、両面記録を実施する両面記録モード時に、ブラックの顔料インクを使用する割合を減らさざるを得ない。その場合には、ブラックの顔料インクの使用する割合を減じることによって記録画像の光学的反射濃度が下がってしまうため、その分、カラー（シアン、マゼンタ、およびイエロー）の染料インクを重ね打ちして光学的反射濃度を補っていた。カラー（シアン、マゼンタ、およびイエロー）の染料インクの重ね打ちによって表現されるブラックは、プロセスブラックと称される。
【０００９】
また、両面記録モードについて開示した特許文献としては、例えば、特許文献１がある。この特許文献１は、記録媒体の両面に記録する両面記録の際に生じる裏写りの抑制対策として提案されたものであり、詳しくは、両面記録モードの際、片面記録モードよりも記録濃度を低くすることで裏写りを抑制している。
【００１０】
【特許文献１】特開平７−３１４７３４号公報
【発明の開示】
【発明が解決しようとする課題】
【００１１】
カラー（シアン、マゼンタ、およびイエロー）の染料インクの重ね打ちによって表現されるプロセスブラックは、ブラックの顔料インクに比べて十分な光学的反射濃度が出ない。そのため、両面記録モード時にブラックの顔料インクを使用する割合を減じて、それに伴う濃度低下をプロセスブラックによって補おうとした場合には、その濃度低下を十分に補うことができなかった。その結果、普通紙に対しては記録品位が良いブラックの顔料インクを用いているにも拘わらず、その顔料インクの性能を十分に生かしきれず、記録品位が下がってしまうおそれがある。さらに、プロセスブラックを表現するために、カラーの染料インクの重ね打ちにより被記録材に多量のインクが打ち込まれる結果、被記録材の裏面にまでインクが裏写りしてしまうおそれがある。そのため、次に記録する被記録材の裏面側の記録面の品位を画像の記録前から低下させてしまったり、マイグレーションという記録品位の低下の弊害を伴ったりするおそれがある。このような問題は、ユーザーにとって大きな不満となる。
【００１２】
ところで、顔料インクは記録媒体の表面付近に定着するため、両面記録を行ったとしても裏写りはそれ程生じない。しかしながら、顔料インクは染料インクに比べて耐擦過性が劣るため、両面記録の際には、顔料インクが擦り取られてしまう可能性が高い。すなわち、両面記録では、記録媒体の表面に対する記録終了後に当該記録媒体が反転され、記録済み面が搬送経路と接しながら搬送されていくため、記録済み面に記録された顔料インクが擦り取らやすいのである。したがって、顔料インクを使用して両面記録モードを実施する場合には、顔料インクの擦れ落ちを抑制する手法を考える必要がある。
【００１３】
しかしながら、上記特許文献１には、顔料インクを用いた場合の両面記録モードについて開示されておらず、また、両面記録モード時におけるインクの擦れ落ち抑制手法についても開示されていない。また、特許文献１には、顔料インクと染料インクを用いた形態について開示されておらず、特に、顔料インクと染料インクを用いた場合の好ましい両面記録モードについて開示されていない。すなわち、顔料インクと染料インクを用いた際の両面記録モードにおける顔料インクの擦れ落ち抑制手法について何ら開示されていない。
【００１４】
本発明の目的は、記録媒体の両面に画像を記録する場合に、画像の記録品位を保ちつつ、極力インクが記録媒体から擦れて落ちないようにして、記録媒体や記録装置内部の汚染を抑えることができる記録装置、記録方法、およびプログラムを提供することにある。
【課題を解決するための手段】
【００１５】
本発明の記録装置は、少なくとも１色について同色の顔料インクと染料インクとを用いて記録媒体に画像を記録可能な記録装置であって、前記記録媒体の片面に対して記録を行う片面記録モードと、前記記録媒体の両面に対して記録を行う両面記録モードとを実行可能な記録制御手段を備え、前記記録制御手段は、前記両面記録モードを実行する場合に、前記記録媒体の両面の内、少なくとも先に記録される面に対して前記同色の顔料インクを用いて記録されるべき画像部分に関しては、前記同色の顔料インクの使用を制限し、かつそれに伴う記録濃度の低下を前記同色の染料インクによって補うように、前記同色の顔料インクと染料インクとの使用比率を設定することを特徴とする。
【００１６】
本発明の記録方法は、所定色について同色の顔料インクと染料インクとを用いて記録媒体に画像を記録可能な記録方法であって、前記記録媒体の片面に対して記録を行う片面記録モードと、前記記録媒体の両面に対して記録を行う両面記録モードの内、いずれかの記録モードを選択する選択工程と、前記選択工程において、前記両面記録モードが選択された場合、前記片面記録モードに比べ、前記所定色の顔料インクの使用量を減らし、かつそれに伴う記録濃度の低下を前記所定色の染料インクによって補うように前記染料インクの使用量を増やして記録を行う記録工程と、を含むことを特徴とする。
【００１７】
本発明の記録方法は、少なくとも１色について同色の顔料インクと染料インクとを用いて記録媒体に画像を記録可能な記録方法であって、前記記録媒体の片面に対して記録を行う片面記録モードと、前記記録媒体の両面に対して記録を行う両面記録モードの内、いずれかの記録モードを選択する選択工程と、前記選択工程において、前記両面記録モードが選択された場合に、前記記録媒体の両面の内、少なくとも先に記録される面に対して前記同色の顔料インクを用いて記録されるべき画像部分に関しては、前記同色の顔料インクの使用を制限し、かつそれに伴う記録濃度の低下を前記同色の染料インクによって補うように、前記同色の顔料インクと染料インクとの使用比率を設定する設定工程と、を含むことを特徴とする。
【００１８】
本発明のコンピュータによって使用可能なプログラムは、少なくとも１色について同色の顔料インクと染料インクとを用いて記録媒体に画像を記録可能な記録装置へ供給するための画像データを作成するプログラムであって、前記記録媒体の片面に対して記録を行う片面記録モードと、前記記録媒体の両面に対して記録を行う両面記録モードの内、選択された記録モードに応じた画像データを作成する作成ステップを実行する作成ステップを有し、前記作成ステップは、前記両面記録モードが選択された場合に、前記記録媒体の両面の内、少なくとも先に記録される面に対して前記同色の顔料インクを用いて記録されるべき画像部分に関しては、前記同色の顔料インクの使用を制限し、かつそれに伴う記録濃度の低下を前記同色の染料インクによって補うように、前記同色の顔料インクと染料インクとの使用比率を設定する設定ステップと、前記設定ステップによって設定された使用比率に基づいて画像データを作成する作成ステップと、を含むことを特徴とする。
【発明の効果】
【００１９】
本発明は、画像の記録に同色の顔料インクと染料インクを用い、記録媒体の両面に画像を記録する場合に、同色の顔料インクの使用を制限し、かつそれに伴う記録濃度の低下を同色の染料インクによって補うことにより、画像の記録品位を保ちつつ、極力インクが記録媒体から擦れて落ちないようにして、記録媒体や記録装置内部の汚染を抑えることができる。
【発明を実施するための最良の形態】
【００２０】
以下、本発明の実施の形態を図面に基づいて説明する。  
（第１の実施形態）
図１は、本発明を適用可能なインクジェット記録装置の要部構成を示す模式的斜視図である。  
図１において、１は、記録ヘッド部とインクタンク部とを一体的に含むインクジェットカートリッジであり、本例の場合は、５つのインクジェットカートリッジ１Ａ，１Ｂ，１Ｃ，１Ｄ，１Ｅがキャリッジ２に交換可能に搭載される。インクタンク部はインクを収容し、記録ヘッド部は、インクタンク部から供給されたインクをインク吐出口から吐出可能である。各カートリッジ１Ａ〜１Ｅのそれぞれには、記録ヘッド部の駆動信号を受けるためのコネクターが設けられている。なお、以下の説明では、記録手段としてのカートリッジ１Ａ〜１Ｅの全体または任意の１つをカートリッジ１ともいう。
【００２１】
複数のカートリッジ１は、それぞれ異なる色のインクを用いて記録をするものであり、それらのインクタンク部には、例えばシアン、マゼンタ、イエロー、黒などの異なるインクが収納されている。それらのインクタンク部には、顔料インクや染料インクの種類を問わず複数種のインクが収納可能である。本発明においては、少なくとも同色の顔料インクと染料インクが収納されることが必要である。本例の場合は、図２のように、カートリッジ１Ｄのインクタンク部は染料インクのブラックを収容し、カートリッジ１Ｅのインクタンク部は顔料インクのブラックを収容する。また、カートリッジ１Ａ，１Ｂ，１Ｃは、それぞれ染料インクのイエロー，マゼンタ，シアンを収容する。これらのカートリッジ１はキャリッジ２の定位置に交換可能に搭載され、そのキャリッジ２には、それぞれのカートリッジ１のコネクターに駆動信号等を伝達するためのコネクターホルダー（電気接続部）が設けられている。
【００２２】
キャリッジ２は、装置本体に設置されたガイドシャフト３に沿って、矢印Ｘの主走査方向に移動自在にガイドされる。キャリッジ２は、主走査モータ４の駆動力により、モータプーリー５、従動プーリー６、およびタイミングベルト７を介して駆動され、その移動が制御される。用紙やプラスチック薄板等の被記録材８は、２組の搬送ローラー対９，１０および１１，１２の回転により、カートリッジ１の記録ヘッド部（以下、単に「記録ヘッド１」ともいう）と対向する位置（記録部）を通して、搬送（紙送り）される。被記録材８は、記録部において平坦な記録面を形成するように、その裏面がプラテン（不図示）により支持される。キャリッジ２に搭載される各カートリッジ１は、それらの記録ヘッド部の吐出口面（インク吐出口の形成面）がキャリッジ２から下方へ突出するように保持され、それらの吐出口面は、搬送ローラー対９，１０と搬送ローラー対１１，１２との間の被記録材８の表面と平行に向かい合う。また、装置本体の後部には、両面記録用の自動反転装置３０が取り付けられる。この自動反転装置３０は、インクジェット記録装置に対して外部から取り付けられて、後述するように被記録材８を自動的に反転させる。
【００２３】
記録装置は、記録ヘッド１がキャリッジ２と共に主走査方向に移動しつつインクを吐出する動作と、被記録材８を副走査方向に搬送する動作と、を繰り返すことによって、被記録材８上の記録領域に画像を記録していく。
【００２４】
１４は、記録ヘッド１におけるインクの吐出状態を良好に保つための回復処理行う回復処理部であり、記録ヘッド１の吐出口面をキャッピング可能なキャップ１５と、記録ヘッド１の吐出口面をワイピング可能なワイパーブレード１８を備えている。キャップ１５には吸引ポンプ１６が接続されており、記録ヘッド１の吐出口面をキャッピング中のキャップ１５内に、吸引ポンプ１６からの負圧を導入することにより、記録ヘッド１の吐出口から画像の記録に寄与しないインクを吸引排出（吸引回復処理）させることができる。また、画像の記録に寄与しないインクを吐出口からキャップ１５内に吐出（予備吐出）したり、記録ヘッド１内のインクを加圧して、画像の記録に寄与しないインクを吐出口からキャップ１５内に排出（加圧回復処理）させることもできる。
【００２５】
記録ヘッド１は、種々の吐出方式によって、インク吐出口からインクを吐出するインクジェット記録手段を構成する。本例の場合は、熱エネルギーを利用してインクを吐出すべく電気熱変換体を備えている。すなわち、電気熱変換体の熱エネルギーによってインクに膜沸騰を生じさせ、そのときの気泡の成長、収縮によって生じる圧力変化を利用して、吐出口からインクを吐出させる。記録ヘッド１は、ピエゾ素子などを用いてインクを吐出させる方式のものであってもよい。
【００２６】
図３は、記録ヘッド１におけるインク吐出部１３の主要部の構成を示す模式的斜視図である。  
インク吐出口部１３には、被記録材８と所定の隙間（約０．５〜２［ｍｍ］程度）をおいて対面する吐出口面２１が形成されている。その吐出口面２１には所定のピッチで複数の吐出口２２が形成され、各吐出口２２は、対応する各流路２４を通して共通液室２３に連通される。共通液室２３内には、対応するインクタンク部からインクが供給される。各流路２４の壁面には、インク吐出用の熱エネルギーを発生するための電気熱変換体（発熱抵抗体など）２５が配設されている。記録ヘッド１の吐出口２２は、図１中矢印Ｙの副走査方向（矢印Ｘの主走査方向と交差する方向）に並ぶ。画像信号または吐出信号に基づいて、それに対応する電気熱変換体（以下、「ヒーター」ともいう）２５を駆動（通電）することにより流路２４内のインクが膜沸騰し、その時に発生する圧力によって吐出口２２からインクが吐出される。
【００２７】
図４は、図１のインクジェット記録における制御系の構成例を示すブロック図である。  図４において、主制御部としてのコントローラ１００であり、例えば、マイクロ・コンピュータ形態のＣＰＵ１０１、プログラムや所要のテーブルその他の固定データを格納するＲＯＭ１０３、画像データを展開する領域や作業用の領域等が設けられたＲＡＭ１０５を含む。ホスト装置１１０は、記録装置に対する画像データの供給源であり、画像データの作成や処理等を行うコンピュータの形態の他、画像読み取り用のリーダ部等の形態であってもよい。画像データ、その他のコマンドやステータス信号等は、インタフェース（Ｉ／Ｆ）１１２を介して、ホスト装置１１０とコントローラ１００との間にて送受信される。操作部１２０は、操作者による指示入力を受容するスイッチ群であり、電源スイッチ１２２、記録開始を指示するためのプリントスイッチ１２４、前述した吸引回復の起動を指示するための回復スイッチ１２６等を有する。
【００２８】
ヘッドドライバ１４０は、記録データ等に応じて、記録ヘッド１のヒータ２５を駆動するためのドライバである。ヘッドドライバ１４０は、ヒータ２５の位置に対応させて記録データを整列させるシフトレジスタ、記録データを適宜のタイミングでラッチするラッチ回路と、駆動タイミング信号に同期してヒータ２５を作動させる論理回路素子、インクドットの形成位置を合わせるために駆動タイミング（インクの吐出タイミング）を適切に設定するタイミング設定部等を有する。記録ヘッド１には、サブヒータ１４２が設けられている。このサブヒータ１４２は、記録ヘッド１におけるインクの吐出特性を安定させるための温度調整を行うものであり、ヒータ２５と同様にヘッド１の基板上に形成される形態、あるいは記録ヘッド１に取り付けられる形態とすることができる。モータドライバ１５０は、主走査モータ４を駆動するためのドライバである。副走査モータ１６２は、被記録材体８を副走査方向に搬送するための駆動源であり、モータドライバ１６０によって駆動させる。
【００２９】
図５は、図１における自動反転装置３０のＶ−Ｖ線に沿う断面図であり、記録装置は、この自動反転装置３０が取り付けられることによって自動両面記録装置を構成する。なお、記録装置は、このような外付けの自動反転装置３０を用いる形態に限られず、両面記録を行うことが可能な構成が内臓されている形態であってもよい。
【００３０】
自動反転装置３０は、図１中のＺ方向から記録装置に取り付けられて、記録装置の内部機構と連動して機能する。装置３０には、給紙用搬送路９４と、複数の用紙抑えローラ９５と、反転用小ローラ９２と、ループ状の反転用搬送路９３と、反転用大ローラ９１と、が備えられている。記録装置内の搬送ローラ９は、モータによって正方向および逆方向に回転駆動が可能である。被記録材８は、搬送ローラ９、１０の正方向の送り動作によって給紙部（不図示）から記録装置内に給紙され、副走査方向に間欠的に搬送され、その片面に記録ヘッド１によって画像が記録される。その後、搬送ローラ９、１０の逆方向の送り動作により、被記録材８が矢印Ａ方向から反転用搬送路９３内に送り込まれる。被記録材８は、矢印Ａ，Ｂ，Ｃ，Ｅ，Ｆ，Ｇの方向に順次搬送され、その表面と裏面が反転される。
【００３１】
すなわち、矢印Ａ方向から反転用搬送路９３内に送られた被記録材８は、まず、図５中の時計回りに回転する反転用小ローラ９２と用紙抑えローラ９５との間に挟まれて矢印Ｂ方向に送られる。それから、その被記録材８は、図５中の時計回りに回転する反転用大ローラ９１と複数（本例の場合は３つ）の用紙抑えローラ９５との間に挟まれて、矢印Ｃ，Ｅ，Ｆ方向に送られる。その後、その被記録材８は、図５中の時計回りに回転する反転用小ローラ９２と用紙抑えローラ９５との間に挟まれて矢印Ｇ方向に送られることにより、表裏面が反転されて記録装置内に搬入されることになる。記録装置は、その被記録材８の裏面に対して、再度、記録ヘッド１によって画像を記録する。反転用大ローラ９１と反転用小ローラ９２の駆動力は、記録装置から供給することができる。
【００３２】
このような被記録材８の反転動作は、ユーザーの補助動作などによって置き換えることができる。具体的には、被記録材８の表面に対しての記録終了後に、ユーザーがその被記録材８の表裏面をユーザーが反転させてからオートシートフィーダ（不図示）に再挿入してもよい。そのオートシートフィーダに再挿入された被記録材８は、再度、記録装置内に搬入されて裏面に対しての記録が行われることになる。
【００３３】
記録装置の記録モードには、被記録材８の表面に対して記録を行う片面記録モードと、その表裏両面に対して記録を行う両面記録モードとがある。両面記録モードにおいては、上述したように、自動反転装置３０またはユーザーによって被記録材８を反転させる。
【００３４】
図６は、片面記録モードと両面記録モードに応じて、使用するインクを設定するためのインク設定処理を説明するためのフローチャートである。  
まず、ステップＳ１において、記録するデータを読み込む。次に、ステップＳ２において、記録データに付随しているヘッダ情報等から、記録するべき記録モードの情報を入手する。次に、ステップＳ３において、ステップＳ２において入手した記録モードの情報から、実施すべき記録モードが両面記録モードであるか否かを判別し、両面記録モードでなければ片面記録モードであると判定する。片面記録モードであるときは、記録に使用するインクを制限しない（ステップＳ４）。したがって、片面記録モードにおいては、ブラックの顔料インク、ブラックの染料インク、およびカラー（イエロー，マゼンタ，シアン）の染料インクが記録画像に応じて適宜使用される。そのため、ブラックの顔料インクのみが使用されたり、ブラックの染料インクのみが使用されたり、カラーの染料インクのみが使用されたり、更には、それらの２つ以上が使用されることもある。したがって、例えば、記録画像に応じてブラックの顔料インクを用いて所定の単位画素（所定の記録領域）当たりに１ドットを形成すべき場合には、図７中の設定１のように、その１ドットは本来のブラックの顔料インクのみを用いて形成されることになる。
【００３５】
一方、ステップＳ３において両面記録モードと判定されたときは、被記録材の先の記録面（表面）に対して記録を行うか否かを判定する（ステップＳ５）。被記録材の後の記録面（裏面）に対して記録を行うときは、ステップＳ４に進み、片面記録モードのときと同様に、記録に使用するインクを制限しない。一方、被記録材の先の記録面に対して記録を行うときは、その記録に使用するインクを制限する（ステップＳ６）。すなわち、ブラックの顔料インクの使用量を制限し、それに伴って減少する記録画像の光学的反射濃度は、ブラックの染料インクを使用することによって補う。
【００３６】
具体的には、被記録材の種類等に応じて図７中の設定２〜５のいずれかを選択し、ブラックの顔料インクの使用量を制限し、それに伴う記録濃度の低下を補うようにブラックの染料インクの使用量を設定する。設定２の場合は、本来は設定１のようにブラックの顔料インクによって１ドットが形成されるべき所定の単位画素に対して、ブラックの顔料インクによって０．７５ドットを形成し、かつブラックの染料インクによって０．１０ドットを形成するように、ブラックの顔料インクの使用量を制限し、それに伴う記録濃度の低下を補うようにブラックの染料インクの使用量を設定する。設定３，４の場合には、ブラックの顔料インクの使用量をさらに制限し、それに伴う記録濃度の低下を補うようにブラックの染料インクの使用量を増やす。設定５の場合には、ブラックの顔料インクを使用せずに、ブラックの染料インクのみを使用する。なお、図７に示される数値は、所定の濃度レベルを表現する際の面積あたりのインク量を、単位画素あたりのドット数に換算し表したものであって、画像の濃度レベルによらず図中のドット数が一義的に打ち込まれることを意味しているわけではない。すなわち、設定１であれば、画像データのある濃度レベルを表現するときに所定の単位画素面積に対し１ドットが打ち込まれる場合を表しており、画像データの濃度レベルが図７のときよりも低ければ１ドットより少ないドット数が打ち込まれることになる。
【００３７】
このように、両面記録モードにおいて、被記録材の先の記録面（表面）に記録をするときには、ステップＳ６において記録に使用するインクを制限し、その後、被記録材の後の記録面（裏面）に記録をするときには、記録に使用するインクを制限しない。
【００３８】
ここで、両面記録モードにおいて被記録材の表面を記録するにあたり、ブラックの顔料インクの使用を制限し、それに伴う記録濃度の低下を補うようにブラックの染料インクを使用する理由について述べる。両面記録を行う場合、画像が記録された被記録材の表面は、自動反転装置３０の各構成部分や搬送ローラ９等と接触して擦られる。このような被記録材の表面が擦られやすい状況下において、その表面に対して耐擦過性の悪い顔料インクを使用して記録を行うと、その顔料インクが擦り落とされる可能性が高い。すなわち、顔料インクの顔料粒子は、染料粒子に比べて大きく、普通紙等の記録媒体の繊維の奥に浸透し難く、記録媒体表面近くで停滞するため、ローラ等との接触によって擦り落とされやすい。顔料が擦り落とされると、その被記録材が汚れるばかりではなく、装置内部を汚染してしまう。又それにより、次に記録すべき別の被記録材が、汚染された装置内部と接触すると顔料粒子が転写し、二次的に汚染されてしまう。一方、染料インクの染料は、被記録材の繊維の奥に浸透しやすいため、ローラ等と接触しても擦り落とされる可能性が低く。そこで、本実施形態では、両面記録モードにおいて被記録材の表面の記録の際には、ブラックの顔料インクの使用を制限し、それに伴う記録濃度の低下を補うようにブラックの染料インクを使用する。
【００３９】
また、両面記録モードにおいて被記録材の裏面を記録するにあたり、ブラックの顔料インクの使用を制限しないのは以下の理由による。すなわち、被記録材の裏面に画像を記録した後は、その被記録材の反転動作が存在しないため、その裏面が反転ローラによって擦られることはなく、表面よりもインク擦れが生じる可能性は少ない。従って、顔料インクの使用を制限せずに顔料インクを用いても、インクの擦り落ちが生じず画像品位に影響を与えるような弊害がない場合も多々あると考えられる。このような理由から、被記録材の裏面を記録する際には、使用するインクを制限しない。
【００４０】
また、両面記録モードにおいて被記録材の表面を記録するときに、ブラックの顔料インクの使用を制限したことに伴う記録濃度の低下を補うために、ブラックの染料インクを使用するのは以下の理由による。ブラックの染料インクは、ブラックの顔料インクと同色であるため、他の色の染料インクに比べてブラックの顔料インクに近い光学的反射濃度を出すことができる。そのため、ブラックの顔料インクの使用割合を減じたことに伴う濃度低下をブラックの染料インクによって十分に補って、記録品位の低下を抑えることができる。仮に、カラー（シアン、マゼンタ、およびイエロー）の染料インクの重ね打ちによって表現されるプロセスブラックによって、ブラックの顔料インクの使用割合を減じたことに伴う濃度低下を補おうとした場合には、プロセスブラックがブラックの顔料インクに比べて十分な光学的反射濃度が出ないため、濃度低下を十分に補うことができない。しかも、プロセスブラックを表現するために、カラーの染料インクの重ね打ちにより被記録材に多量のインクが打ち込まれる結果、マイグレーションという記録品位の低下の弊害を伴ったり、被記録材の裏面にまでインクが裏写りしてしまうおそれがあり、次に記録する被記録材の裏面側の記録面の品位を画像の記録前から低下させてしまったりするおそれがある。
【００４１】
また、図７の設定２〜５のように、被記録材の種類等に応じて使用するインクの制限を変更するのは以下の理由による。顔料インクの顔料が被記録材の表面近くで停滞する程度、およびローラ等との接触によって擦り落とされやすい程度は、被記録材の種類と顔料インクの種類との組み合わせなどによって異なり、また染料インクの染料が被記録材の奥に浸透する程度は、被記録材の種類と染料インクの種類との組み合わせなどによって異なる。このような状況を考慮して、使用するインクの制限を選択的に設定できるようにした。例えば、被記録材が葉書である場合には、その表面に画像を記録するときに図７中の設定３を選択することによって、インクが擦れ落ちることもなく、しかも記録濃度の低下も抑えて高品位の画像を記録することができた。
【００４２】
以上説明した第１の実施形態によれば、両面記録モードにおいて、画像の記録後に擦られる可能性のある被記録材の表面に画像を記録する際には、ブラックの顔料インクの使用を制限し、それに伴う記録濃度の低下をブラックの染料インクによって補い、また、その裏面に画像を記録する際にはインクの使用を制限しないようにしている。この結果、被記録材の両面のそれぞれに、インクが擦れ落ちることなく、しかも記録濃度の低下を抑えて高品位の画像を記録することができる。つまり、両面記録モードにおける先の記録面と後の記録面の一方の記録品位が他方よりも低下するという問題を起こすことなく、記録を行うことできる。ここで言う記録品位の低下とは、余分な顔料インクの汚れがついていたり、画像がにじんだり、画像の光学的反射濃度が薄くなったりする画像的な弊害のことである。
【００４３】
また、ブラックの顔料インクの使用制限に伴う記録濃度の低下をブラックの染料インクを用いて補うときに、記録品位が向上するのであれば他色の染料インクをも同時に使用することが望ましい。また、通常、記録データの先頭部にはヘッダ情報等が付随しているため、そのヘッド情報等に応じて、先の記録面と後の記録面のそれぞれにおいて使用するインクを独立的に設定することができる。
【００４４】
（第２の実施形態）
本実施形態では、両面記録モードにおける先の記録面および後の記録面の如何に拘わらず、記録に使用するインクを同様に制限する。
【００４５】
具体的には、両面記録モードにおいては図７中の設定２〜５のいずれかを選択し、ブラックの顔料インクの使用を適切に制限し、それに伴う光学的反射濃度の低下をブラックの染料インクによって適切に補う。片面記録モードにおいては、上述した実施形態と同様に使用するインクは制限しない。図８は、片面記録モードと両面記録モードに応じて、使用するインクを設定するためのインク設定処理を説明するためのフローチャートである。本例の場合は、前述した実施形態の図６との比較から明らかなように、両面記録モードのときは、先の記録面および後の記録面の如何に拘わらずステップＳ３からステップＳ５に進み、記録に使用するインクを制限する。
【００４６】
本実施形態によれば、記録媒体の表面および裏面の両方に関して顔料インクの擦れ落ちを低減できることに加え、両面記録モードにおける表面に対する記録時と裏面に対する記録時に使用するインクの制限を変更する必要がなく、制御の簡易化を実現できる。
【００４７】
（第３の実施形態）
本実施形態では、両面記録モードが設定された同一の記録ページ内にて、特定部分（特定の記録領域）に対してのみ使用するインクを制限する。具体的には、同一ページ内の特定部分に対しては、図７中の設定２から５のいずれかを選択し、ブラックの顔料インクの使用を適切に制限し、それに伴う光学的反射濃度の低下をブラックの染料インクによって適切に補う。両面記録モードにおける他の部分に対しての記録、および片面記録モードにおいては、使用するインクは制限しない。
【００４８】
図９は、被記録材８の副走査方向（矢印Ｙ方向）に延在する２つの部分Ｐを特定部分とし、この特定部分Ｐに記録する画像に関しては、それを記録するために使用するインクを制限する。すなわち、特定部分Ｐの記録画像に関しては、図７中の設定２から５のいずれかを選択することにより、ブラックの顔料インクの使用を制限し、それに伴う光学的反射濃度の低下をブラックの染料インクによって補う。図９（ａ）および（ｂ）においては、顔料インクと染料インクによる記録画像を分けて表現しており、結果的には、それらの画像が重なって図９（ｃ）のような画像が記録される。図１０は、図９（ａ），（ｂ），および（ｃ）中のＳ−Ｔ線上における記録画像の光学的反射濃度Ｄ１，Ｄ２，およびＤ３を示す。図１０から分かるように、特定部分Ｐの記録画像に関しては、ブラックの顔料インクの使用が制限されることによって反射濃度Ｄ１が低下し、それを補うようにブラックの染料インクが使用されることによって反射濃度Ｄ２が上昇し、結果的に、被記録材８上の他の部分の記録画像と同じ反射濃度Ｄ３となる。
【００４９】
本実施例における特定部分Ｐは、記録装置の内部構造などに応じて任意に設定することができる。前述したように、両面記録モードにおいては、被記録材の表面（先の記録面）に記録をした後、その裏面（後の記録面）に記録をするために自動反転装置３０などを用いて再び記録装置内に被記録材を搬入する。そのため、記録装置や自動反転装置３０の構成部品によって被記録材の表面が擦られ、その表面の画像が顔料インクによって記録されている場合には、その顔料が擦り落とされてしまうおそれがある。そこで、記録装置や自動反転装置３０の構成部品と圧接する被記録材の表面上の部分を特定部分Ｐとして、その特定部分Ｐの画像の記録に使用する顔料インクを制限して、その特定部分Ｐの耐擦過性を向上させる。例えば、自動反転装置３０内の紙抑えローラ９５（図５参照）に被記録材８が密着することにより、その被記録材８の表面上の顔料インクが紙抑えローラ９５の表面に転写されるおそれがある。このような場合には、その紙抑えローラ９５と接する被記録材８の表面上の部分を特定部分Ｐとして設定する。特定部分Ｐは、その数や面積を問わず設定することができる。
【００５０】
図１１は、片面記録モードと両面記録モードに応じて、使用するインクを設定するためのインク設定処理を説明するためのフローチャートである。ステップＳ１からＳ４，およびＳ６は前述した実施形態の図６と同様である。
【００５１】
本例の場合は、両面記録モードのときにステップＳ５Ａに進み、特定部分Ｐを設定する。この特定部分Ｐは、前述したように記録装置や自動反転装置３０の構造に起因する記録品位の劣化を回避すべく設定する他、記録品位の向上を目的として設定することができる。その後、ステップＳ５Ｂにおいて、記録データが特定部分Ｐのデータであるか否かを判定する。記録データが特定部分Ｐのデータであるときは、その記録データの記録に使用するインクを制限する（ステップＳ６）。すなわち、前述したように、ブラックの顔料インクの使用量を制限し、それに伴って減少する記録画像の光学的反射濃度は、ブラックの染料インクを使用することによって補う。その場合、記録品位が向上するのであれば、ブラックの染料インクと共に、他色の染料インクも同時に使用することが望ましい。一方、記録データが特定部分Ｐ以外のデータであるときはステップＳ４に進み、その記録に使用するインクは制限しない。
【００５２】
本実施形態においては、両面記録の際にも顔料インクを最大限に利用しながら、記録品位の低下を起こさず画像を記録することができる。
【００５３】
（第４の実施形態）
本実施形態においては、図１２のように、隣接する複数の特定部分Ｐ１，Ｐ２，Ｐ３，Ｐ４において、使用するインクを段階的に制限し、主に使用する顔料インクと染料インクの割合を段階的に変化させる。
【００５４】
図１２（ａ）および（ｂ）においては、顔料インクと染料インクによる記録画像を分けて表現しており、結果的には、それらの画像が重なって図１２（ｃ）のような画像が記録される。図１３は、図１２（ａ），（ｂ），および（ｃ）中のＵ−Ｖ線上における記録画像の光学的反射濃度Ｄ１，Ｄ２，およびＤ３を示す。図１３から分かるように、特定部分Ｐ１，Ｐ２，Ｐ３，Ｐ４の記録画像に関しては、ブラックの顔料インクの使用が制限されることによって反射濃度Ｄ１が段階的に低下し、それを補うようにブラックの染料インクが使用されることによって反射濃度Ｄ２が段階的に上昇し、結果的に、被記録材８上の他の部分の記録画像と同じ反射濃度Ｄ３となる。特定部分Ｐ１，Ｐ２，Ｐ３，Ｐ４における顔料インクと染料インクの使用割合の設定としては、例えば、図７中の設定１と５との間において顔料インクと染料インクの使用割合が段階的に変化する４つを設定することができる。これにより、特定部分Ｐ１，Ｐ２，Ｐ３，Ｐ４同士間、およびそれらと他の部分との間の境界部分が分かりにくくなり、記録品位をより向上させることができる。
【００５５】
（他の実施形態）
上述した実施形態においては、同色の顔料インクと染料インクとしてブラックを例にして説明した。しかし、本発明は、ブラック以外の同色の顔料インクと染料インクを用いて画像を記録する場合にも適用することができ、少なくとも両面記録モードにおいて先に記録される面の一部（特定部分）に関しては、ブラック以外の他色の顔料インクの使用を制限し、それに伴う記録濃度の低下を他色の染料インクによって補うことができる。このように本発明は、少なくとも１色について同色の顔料インクと染料インクを用いて両面記録を実行できる装置や方法、プログラムに適用可能である。
【００５６】
本発明の効果は、葉書の印刷においてより効果的に発揮することができる。葉書は、通信面と宛名面で用途がはっきりと分かれているからであり、通信面を先の記録面とし、宛名面を後の記録面とすることにより、それらの面の用途に適した高い記録品位を得ることができる。その場合には、後の記録面となる通信面が汚されることもない。宛名面のように個人の住所、氏名が書かれる面に関しては、くっきりと濃いシャープな文字で記録されることが求められるため顔料インクを使用することが好ましく、通信面のように高精細な写真やイラストなどが混じって記録される面に関して、染料インクを使用することが好ましい。本発明は、通信面を先の記録面とし、宛名面を後の記録面とすることにより、それらの面の用途に適した高い記録品位を得ることができる。
【００５７】
使用するインクを制限した両面記録モードを指定する形態は、記録装置側の入力部からの他、記録装置に接続されるホスト装置１１０におけるプリンタドライバのＵＩ（ユーザインターフェース）上から指定する形態であってもよい。
【００５８】
ホスト装置１１０におけるプリンタドライバのＵＩ（ユーザインターフェース）上から両面記録モードの指定を行う形態の場合、ホスト装置側で両面記録モードに適合したデータを作成し、この作成したデータを記録装置に送信することが好ましい。つまり、ブラックの顔料インクの使用を制限し、それに伴う記録濃度の低下をブラックの染料インクによって補うように、それらのインクの吐出データをホスト装置１１０のプリンタドライバにおいて作成するのである。
【００５９】
また、本発明は、上述したようなシリアルスキャンタイプの記録装置のみに限定されず、記録媒体の記録領域の全幅に渡って延在する記録ヘッドを用いる、いわゆるフルラインタイプ等、種々の記録装置に広く適用することができる。また、本発明は、少なくとも同色の顔料インクと染料インクを含む複数種のインクを用いて、両面記録モードを含む複数の記録モードによって記録媒体に画像を記録する種々の記録装置において広く適用することができる。
【００６０】
また、本発明は、前述した実施形態の機能を実現するソフトウェアのプログラム（実施形態では図に示すフローチャートに対応したプログラム）を、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００６１】
したがって、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００６２】
その場合、プログラムの機能を有していれば、オブジェクトコード、インタプリタにより実行されるプログラム、ＯＳに供給するスクリプトデータ等、プログラムの形態を問わない。
【００６３】
プログラムコードを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などを用いることができる。
【００６４】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６６】
また、コンピュータが読出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれることは言うまでもない。
【００６７】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００６８】
【図１】本発明を適用可能なインクジェット記録装置の概略構成を示す一部切欠きの斜視図である。
【図２】本発明の第１の実施形態におけるインクジェットカートリッジの使用インクの説明図である。
【図３】図１における記録ヘッドの主要部の模式的斜視図である。
【図４】図１のインクジェット記録装置における制御系のブロック構成図である。
【図５】図１における自動反転装置のＶ−Ｖ線に沿う概略断面図である。
【図６】本発明の第１の実施形態における使用インクの設定処理を説明するためのフローチャートである。
【図７】本発明の第１の実施形態における使用インクの設定例の説明図である。
【図８】本発明の第２の実施形態における使用インクの設定処理を説明するためのフローチャートである。
【図９】（ａ），（ｂ），（ｃ）は、本発明の第３の実施形態における記録例の説明図である。
【図１０】図９（ａ），（ｂ），（ｃ）のＳ−Ｔ線上における画像の光学的反射濃度の説明図である。
【図１１】本発明の第３の実施形態における使用インクの設定処理を説明するためのフローチャートである。
【図１２】（ａ），（ｂ），（ｃ）は、本発明の第４の実施形態における記録例の説明図である。
【図１３】図１２（ａ），（ｂ），（ｃ）のＵ−Ｖ線上における画像の光学的反射濃度の説明図である。
【符号の説明】
【００６９】
１、１Ａ、１Ｂ、１Ｃ、１Ｄ  インクジェットカートリッジ
２      キャリッジ
３      ガイドシャフト
４      主走査モータ
５      モータプーリ
６      従動プーリ
７      タイミングベルト
８      被記録材（記録媒体）
９，１０，１１，１２  搬送ローラ
１３    ヘッド部
２１    吐出口面
２２    吐出口
２３    共通液室
２４    液路
２５    電気熱変換体
３０    自動反転装置
９０    用紙反転ユニット
９１    反転用大ローラ
９２    反転用小ローラ
９３    反転用搬送路
９４    給紙用搬送路
９５    用紙抑えローラ
１００  コントローラ
１０１  ＣＰＵ
１０３  ＲＯＭ
１０５  ＲＡＭ
１１０  ホスト装置
１１２  Ｉ／Ｆ
１２０  操作部
１２２  電源スイッチ
１２４  プリントスイッチ
１２６  回復スイッチ
１４０  ヘッドドライバ
１４２  サブヒータ
１５０，１６０  モータドライバ
１２３，１６２  モータ
【図１】
2005047238.tif 000003
【図２】
2005047238.tif 000004
【図３】
2005047238.tif 000005
【図４】
2005047238.tif 000006
【図５】
2005047238.tif 000007
【図６】
2005047238.tif 000008
【図７】
2005047238.tif 000009
【図８】
2005047238.tif 000010
【図９】
2005047238.tif 000011
【図１０】
2005047238.tif 000012
【図１１】
2005047238.tif 000013
【図１２】
2005047238.tif 000014
【図１３】
2005047238.tif 000015